(57)【要約】      （修正有）【課題】腹部、臀部の筋肉等のコア筋肉を効果的に引き伸ばし、寛骨、膝、足関節を効果的に伸ばすことができるフィットネス機器を提供する。【解決手段】ベース１１０は、支持パッド１１１と、支持パッド１１１に隣接し、回転軸Ｘ´を有する枢接部と、を含む。２つの作動ロッド１２０は、それぞれ逆方向に連動するように枢接部の両側に回転可能に設けられており、下ロッド部１２２を含む。下ロッド部１２２は、回転軸Ｘ´を中心とし、アーク形の軌跡に沿ってスイングする。アーク形の軌跡は、回転軸Ｘ´を通過する仮想鉛直線Ｌを角の辺とする中心角度が４５度以上１００度以下である第１弧形部Ｒ１を含む。２つのペダル１３０は、それぞれ各下ロッド部１２２の自由端に回転可能に設けられている。支持パッド１１１は、２つの作動ロッド１２０の間に位置する。【選択図】図２
0003189590.tif 000002
【実用新案登録請求の範囲】
【請求項１】
支持パッド、および、当該支持パッドに隣接し回転軸を有する枢接部を有するベースと、
前記枢接部の両側に回転可能に設けられており、前記回転軸を中心とし前記回転軸を通過する仮想鉛直線を角の辺とする中心角が４５度以上１００度以下である第１弧形部を有する軌跡に沿ってスイングする下ロッド部を有する２つの作動ロッドと、
各前記下ロッド部の自由端に回転可能に設けられている２つのペダルと、
を備え、
前記支持パッドは、２つの前記作動ロッドの間に位置することを特徴とするフィットネス機器。
【請求項２】
前記軌跡は、第２弧形部をさらに有し、
前記第２弧形部は、前記第１弧形部に接続されており、前記第１弧形部の前記仮想鉛直線とは反対側に位置し、中心角が０度より大きくかつ１０度以下であることを特徴とする請求項１に記載のフィットネス機器。
【請求項３】
静止状態において、前記下ロッド部と前記仮想鉛直線との間に、４０度以上６０度以下の夾角があることを特徴とする請求項１に記載のフィットネス機器。
【請求項４】
前記夾角は、５０度以上６０度以下であることを特徴とする請求項３に記載のフィットネス機器。
【請求項５】
各前記作動ロッドは、前記枢接部の上方に位置するハンドリング部が形成されており、前記下ロッド部と連動する上ロッド部を有することを特徴とする請求項１に記載のフィットネス機器。
【請求項６】
静止状態において、前記ハンドリング部と前記仮想鉛直線との間に夾角があることを特徴とする請求項５に記載のフィットネス機器。
【請求項７】
前記夾角は、２０度以上６０度以下であることを特徴とする請求項６に記載のフィットネス機器。
【請求項８】
前記ベースに取り付けられており、２つの前記作動ロッドの連動速度を安定させるフライホイールをさらに備えることを特徴とする請求項１に記載のフィットネス機器。
【請求項９】
前記ベースに取り付けられており、前記フライホイールに抵抗力を与える抵抗装置をさらに備えることを特徴とする請求項１に記載のフィットネス機器。
【請求項１０】
前記ベースは、前記支持パッドの前方に設けられているハンドルをさらに有することを特徴とする請求項１に記載のフィットネス機器。
【請求項１１】
前記支持パッドは、回転可能であることを特徴とする請求項１に記載のフィットネス機器。
【請求項１２】
支持パッド、前記支持パッドに隣接し回転軸を有する枢接部、および、前記支持パッドの前方にあるハンドルを有するベースと、
前記枢接部の両側に回転可能に設けられており、可撓性を有し前記枢接部の上方に位置するハンドリング部を有する上ロッド部、および、前記上ロッド部と連動し前記回転軸を中心とし前記回転軸を通過する仮想鉛直線を角の辺とする中心角が４５度以上１００度以下である第１弧形部を有する軌跡に沿ってスイングする下ロッド部を有し、前記ハンドリング部と前記仮想鉛直線との間に２０度以上６０度以下の第１夾角を有し、前記下ロッド部と前記仮想鉛直線との間に５０度以上６０度以下の第２夾角を有する２つの作動ロッドと、
各前記下ロッド部の自由端に回転可能に設けられている２つのペダルと、
前記ベースに取り付けられており、２つの前記作動ロッドの連動速度を安定させ、重量が０．１ｋｇ〜５ｋｇであるフライホイールと、
前記ベースに取り付けられており、前記フライホイールに抵抗力を与える抵抗装置と、
を備え、
前記支持パッドは、二つの前記作動ロッドの間に位置し、回転可能であることを特徴とするフィットネス機器。
【請求項１３】
前記軌跡は、第２弧形部を有し、
前記第２弧形部は、前記第１弧長に接続されており、前記第１弧形部の前記仮想鉛直線とは反対側に位置し、中心角が０度より大きくかつ１０度以下であることを特徴とする請求項１２に記載のフィットネス機器。
【考案の詳細な説明】
【技術分野】
【０００１】
本考案は、フィットネス機器に関し、特に、ももを上げるトレーニングを行うフィットネス機器に関する。
【背景技術】
【０００２】
フィットネス機器は、天気又は場所による運動制限を受けないため、忙しい現代人が運動する時に優先的な選択となっている。現在、市販の様々なフィットネス機器において、ステッパーとトレッドミルは、最も一般的な種類であり、足踏みと駆け足が全身運動に属するため、カロリーを消費し、筋肉を引き締めることができる一方、心筋強化、肺活量増加にも寄与する。しかしながら、一般的に、使用者は、ステッパー又はトレッドミルを使用する場合、使用習慣によっても機台設計によっても、太ももを上げる機会がなく、そのため、筋力向上又は曲線の形作りという効果がすね以下の部分のみに集中する場合が多い。
【考案の概要】
【考案が解決しようとする課題】
【０００３】
これに対して、運動場でよく見られるウォームアップ方式において、もも上げ運動は、腹部、臀部の筋肉と寛骨関節等普段鍛えにくい部位を効果的に伸ばすことができ、且つカロリー消費、筋肉の引き締め等の足踏み又は駆け足によるような効果を達成することもできる。しかし、現在、もも上げトレーニングを実行可能なフィットネス機器は、まだ表れていない。
本考案は、腹部、臀部の筋肉等のコア筋肉を効果的に引き伸ばし、寛骨、膝、足関節を効果的に伸ばすことができ、筋力の安定と制御能力を高めることができる以外、更に、爆発力の強化、臀部と腹部の曲線の形作りに寄与することが可能なフィットネス機器を提供することを目的とする。
【課題を解決するための手段】
【０００４】
本考案によるフィットネス機器は、ベースと、２つの作動ロッドと、２つのペダルと、を備える。ベースは、支持パッドと、支持パッドに隣接し回転軸を有する枢接部と、を含む。２つの作動ロッドは、互いに逆方向に連動可能に枢接部の両側に回転可能に設けられており、下ロッド部を含む。下ロッド部は、回転軸を中心とし、回転軸を通過する仮想鉛直線を角の辺とする中心角が４５度以上１００度以下である第１弧形部を含むアーク形の軌跡に沿ってスイングする。２つのペダルは、それぞれ各下ロッド部の自由端回転可能に設けられている。支持パッドは、２つの作動ロッドの間に位置する。
【０００５】
本考案によるフィットネス機器は、アーク形の軌跡は、第２弧形部を更に含む。第２弧形部は、第１弧形部に接続されており、第１弧形部の仮想鉛直線とは反対側に位置し、中心角度が０度より大きく１０度以下である。下ロッド部と仮想鉛直線との間に夾角があってもよい。夾角は、４０度以上、又は５０度〜６０度であってもよい。各作動ロッドは、上ロッド部を更に含むことができる。上ロッド部は、下ロッド部と連動することができ、かつハンドリング部を有することができる。ハンドリング部は、枢接部の上方に位置してもよい。また、ハンドリング部と仮想鉛直線との間夾角があってもよい。この夾角は、２０度以上６０度以下であってもよい。別に、ハンドリング部は、可撓性を持つことができる。また、フィットネス機器は、フライホイールを更に備えることができ、フライホイールは、２つの作動ロッドの連動速度を安定させ、ベースに取り付けられている。その重量は、０．１ｋｇ〜５ｋｇ、あるいは３ｋｇであってもよい。更に、フィットネス機器は、抵抗装置を更に備えることができる。抵抗装置は、フライホイールに抵抗力を付与するためにベースに取り付けられている。なお、ベースは、支持パッドの前方にあるハンドルを更に含むことができる。また、支持パッドは、回転可能であってもよい。
【０００６】
本考案によるフィットネス機器は、ベースと、２つの作動ロッドと、２つのペダルと、フライホイールと、抵抗装置と、を備える。ベースは、支持パッドと、支持パッドに隣接し回転軸を有する枢接部と、支持パッドの前方にあるハンドルと、を含む。２つの作動ロッドは、互いに逆方向に連動可能に枢接部の両側に回転可能に設けられており可撓性を有し枢接部の上方に位置するハンドリング部を有する上ロッド部と、上ロッド部と連動し回転軸を中心とするアーク形の軌跡に沿ってスイングする下ロッド部と、を含む。アーク形の軌跡は、第１弧形部を含む。第１弧形部は、回転軸を通過する仮想鉛直線を角の辺とする中心角度が４５度以上１００度以下である。また、ハンドリング部と仮想鉛直線との間に第１夾角を有し、下ロッド部と仮想鉛直線との間に第２夾角を有する。第１夾角は、２０度以上６０度以下であり、第２夾角は、５０度以上６０度以下である。２つのペダルは、それぞれ各下ロッド部の自由端に回転可能に設けられている。フライホイールは、２つの作動ロッドの連動速度を安定させ、ベースに取り付けられている。その重量が０．１ｋｇ〜５ｋｇである。抵抗装置は、フライホイールに抵抗力を与え、ベースに取り付けられている。また、支持パッドは、２つの作動ロッドの間に位置し回転可能である。
【０００７】
また、アーク形の軌跡は、第２弧形部を更に含むことができる。第２弧形部は、第１弧形部に接続され、第１弧形部の仮想鉛直線とは反対側に位置し、中心角度が０度より大きく１０度以下である。
【図面の簡単な説明】
【０００８】
【図１】本考案の一実施形態によるフィットネス機器を示す斜視図である。
【図２】本考案の一実施形態によるフィットネス機器の作動を示す模式図である。
【図３】本考案の一実施形態によるフィットネス機器を示す側面図である。
【考案を実施するための形態】
【０００９】
（一実施形態）
本考案の一実施形態によるフィットネス機器１００を示す斜視図である図１を参照する。図に示すように、フィットネス機器１００は、ベース１１０と、２つの作動ロッド１２０と、２つのペダル１３０と、を備える。ベース１１０は、支持パッド１１１と、支持パッド１１１に隣接し、回転軸Ｘ・を有する枢接部１１２と、支持パッド１１１の前方にあるハンドル１１３と、を含む。２つの作動ロッド１２０は、それぞれ枢接部１１２の両側に回転可能に設けられている。支持パッド１１１は、２つの作動ロッド１２０の間に位置する。各作動ロッド１２０は、上ロッド部１２１と、下ロッド部１２２と、を含む。上ロッド部１２１は、下ロッド部１２２と連動する。２つのペダル１３０は、それぞれ各下ロッド部１２２の自由端１２２ａに回転可能に設けられている。
【００１０】
図１のフィットネス機器を示す作動模式図である図２を参照する。図に示すように、それぞれ枢接部１１２の両側に回転可能に設けられている２つの作動ロッド１２０は、逆方向に連動する。下ロッド部１２２は、回転軸Ｘ・を支点にして、アーク形の軌跡Ｒに沿ってスイングする。アーク形の軌跡Ｒは、第１弧形部Ｒ１及び第２弧形部Ｒ２を含む。第１弧形部Ｒ１は、回転軸Ｘ・を通過する仮想鉛直線Ｌの前側に位置するが、第２弧形部Ｒ２は、第１弧形部Ｒ１に接続され、仮想鉛直線Ｌの後側に位置する。第１弧形部Ｒ１の弧度は、４５度〜１００度であることが好ましい。これにより、使用者は、フィットネス機器１００によって、移動せずにもも上げトレーニングを行って、腹部、臀部の筋肉等のコア筋肉を効果的に引き伸ばし、寛骨、膝、足関節を効果的に伸ばすことができ、筋力の安定と制御能力を高めることができる以外、更に、爆発力の強化、臀部と腹部の曲線の形作りに寄与する。
【００１１】
より具体的には、アーク形の軌跡Ｒは、仮想鉛直線Ｌを横に跨ぐようにして、仮想鉛直線Ｌにより第１弧形部Ｒ１と第２弧形部Ｒ２に分けられる。つまり、第１弧形部Ｒ１は、仮想鉛直線Ｌの前側に位置するが、第２弧形部Ｒ２は、第１弧形部Ｒ１の仮想鉛直線Ｌとは反対側に位置する。第２弧形部Ｒ２の弧度は、０度より大きく１０度以下であることが好ましい。また、ハンドル１１３の存在により、使用者がそれをつかまって支持パッド１１１に座り又は凭れることができる一方、使用者がそれに上体をうつぶせにしてのせて、足を容易に前後に伸ばし、下ロッド部１２２を駆動して完璧なアーク形の軌跡Ｒを描かせるようにすることができる。
【００１２】
一方、フィットネス機器１００は、フライホイール１４０と、抵抗機構１５０と、を更に備える。フライホイール１４０は、作動ロッド１２０による逆方向連動の速度を安定させるためにベース１１０に取り付けられて、作動ロッド１２０の揺れをよりスムーズにする。抵抗力機構１５０もベース１１０に組取り付けられ、フライホイール１４０に抵抗力を付与し、フィットネス機器１００全体の機構慣性を削減し、これによって、フィットネス機器１００による機構慣性がゼロに近づき、使用者がフィットネス機器１００によってもも上げトレーニングを行う場合、実際のもも上げ運動と類似な体験及び効果を持たせることができる。フライホイール１４０の重量は、０．１ｋｇ〜５ｋｇであることが好ましく、３ｋｇ程度であることがより好ましい。抵抗機構１５０は、例えば、リラクタンス抵抗機構等である。
【００１３】
図１のフィットネス機器を示す側面図である図３を参照する。図に示すように、上ロッド部１２１は、ハンドリング部１２１ａを有する。ハンドリング部１２１ａは、枢接部１１２の上方に位置して、使用者に作動ロッド１２０を駆動する際にハンドリングされることに供する。フィットネス機器１００が静止状態となる場合、ハンドリング部１２１ａと仮想鉛直線Ｌとの間に第１夾角Ａ１があり、下ロッド部１２２と仮想鉛直線Ｌとの間に第２夾角Ａ２がある。第１夾角Ａ１は、２０度以上であり、２０度〜６０度であることが好ましく、５５．３度であることがより好ましい。第２夾角Ａ２は、４０度以上であり、５０度〜６０度であることが好ましく、５６．２５度であることがより好ましい。これにより、フィットネス機器１００によって、使用者は、適宜な予備姿勢を保ってから移動せずにもも上げトレーニングを始めることができる。
【００１４】
ハンドリング部１２１ａは、例えば、ポリウレタン（Ｐｏｌｙｕｒｅｔｈａｎｅ；ＰＵ）等の可撓性を持つ材質であるため、良好な角度適応能力を有するため、使用者により作動ロッド１２０を駆動する動作及び角度に伴い変形して、更に、フィットネス機器１００の操作をより人間工学に一致させることができる。また、支持パッド１１１は、回転可能式のものであってもよく、使用者がフィットネス機器１００を操作する際に、使用者の臀部の揺れに合わせて左右に回転することができ、同様にフィットネス機器１００の操作をより人間工学的にすることができる。また、上ロッド部１２１と下ロッド部１２２の連動によって、使用者は、もも上げトレーニングを行う際に、上肢の揺れに合わせて、同時に肩、肘等の関節を伸ばし、左右の手足の間の調和能力を向上させることができる。
【００１５】
より具体的には、本実施形態において、ハンドリング部１２１ａと下ロッド部１２２は、互いに平行な２つの異なる平面に位置するが、第１夾角Ａ１とは、ハンドリング部１２１ａと仮想鉛直線Ｌの水平投影との間の夾角を指す。前記水平投影の方向は、回転軸Ｘ・の延ばし方向と同じである。
【００１６】
本考案の他の実施形態において、ハンドリング部１２１ａと下ロッド部１２２は、同じ平面に位置することもでき、支持パッド１１１は、サドル、又はほとんど座る空間がないが背中が凭れることができるクッションであってもよい。より重要なのは、フィットネス機器１００のアーク形の軌跡Ｒは、第２弧形部Ｒ２を含むことを必須としていない。つまり、アーク形の軌跡Ｒは、必ず仮想鉛直線Ｌを横に跨ぐようにして仮想鉛直線Ｌにより分けられなくてもよいが、仮想鉛直線Ｌの前側に位置する第１弧形部Ｒ１を含み、第１弧形部Ｒ１の弧度が４５度以上であると、移動せずにもも上げトレーニングを完成し、腹部、臀部の筋肉等のコア筋肉を効果的に引き伸ばし、寛骨、膝、足関節を効果的に伸ばすことができる。ただし、アーク形の軌跡Ｒが第１弧形部Ｒ１に接続され仮想鉛直線Ｌから後へ延ばす第２弧形部Ｒ２を更に含む場合、使用者によるもも上げトレーニング動作をより完璧にし、筋力、爆発力の向上及び臀部と腹部の曲線の形作りという効果をより優れるようにすることができる。
【００１７】
本考案では実施形態を前述の通り開示したが、それは本考案を限定するものではなく、当業者であれば、本考案の精神と領域から逸脱しない限り、多様の変更や修正を加えることができ、従って、本考案の保護範囲は、実用新案登録請求の範囲で指定された内容を基準とする。
【符号の説明】
【００１８】
１００：フィットネス機器、
１１０：ベース、
１１１：支持パッド、
１１２：枢接部、
１１３：ハンドル、
１２０：作動ロッド、
１２１：上ロッド部、
１２１ａ：ハンドリング部、
１２２：下ロッド部、
１２２ａ：自由端、
１３０：ペダル、
１４０：フライホイール、
１５０：抵抗装置、
Ａ１：第１夾角、
Ａ２：第２夾角、
Ｌ：仮想鉛直線、
Ｒ：アーク形の軌跡、
Ｒ１：第１弧形部、
Ｒ２：第２弧形部、
Ｘ´：回転軸。
【図１】
0003189590.tif 000003
【図２】
0003189590.tif 000004
【図３】
0003189590.tif 000005